(57)【要約】【課題】従来と比較して整合エリアの実装面積を縮小することのできる高周波整合回路および電子機器を提供する。【解決手段】平衡型回路２０のインピーダンスと不平衡型回路５０のインピーダンスとを整合させる高周波整合回路１０であって、平衡型回路２０および不平衡型回路５０のうちの少なくとも一方が平衡型回路であり、平衡型回路２０のインピーダンスおよび不平衡型回路５０のインピーダンスのうちの少なくとも一方が虚数成分を含み、当該虚数成分を打ち消すインピーダンスを有するインピーダンス整合素子４１を、一つまたは二つ含むインピーダンス整合回路４０を備える。【選択図】図１
2014135547.tif 000002
【特許請求の範囲】
【請求項１】
第１の回路のインピーダンスと第２の回路のインピーダンスとを整合させる高周波整合回路であって、
前記第１の回路および前記第２の回路のうちの少なくとも一方が平衡型回路であり、
前記第１の回路のインピーダンスおよび前記第２の回路のインピーダンスのうちの少なくとも一方が虚数成分を含み、
前記虚数成分を打ち消すインピーダンスを有するインピーダンス整合素子を、一つまたは二つ含むインピーダンス整合回路を備える、
高周波整合回路。
【請求項２】
前記第１の回路のインピーダンスに含まれる実数成分と前記第２の回路のインピーダンスに含まれる実数成分とを変換するインピーダンス変換回路をさらに備える、
請求項１に記載の高周波整合回路。
【請求項３】
前記インピーダンス変換回路は、集中定数型のバラン回路である、
請求項２に記載の高周波整合回路。
【請求項４】
前記二つのインピーダンス整合素子は、互いに異なるインピーダンスをそれぞれ有する、
請求項１ないし３のいずれか一項に記載の高周波整合回路。
【請求項５】
前記インピーダンス整合回路は、
前記二つのインピーダンス整合素子のうちの一方と接続するスイッチをさらに含む
請求項１ないし４のいずれか一項に記載の高周波整合回路。
【請求項６】
所定の周波数帯の電気信号が通過可能なフィルタ回路をさらに備える、
請求項１ないし５のいずれか一項に記載の高周波整合回路。
【請求項７】
前記フィルタ回路は、バンドバスフィルタを含む、
請求項６に記載の高周波整合回路。
【請求項８】
前記フィルタ回路は、ローバスフィルタを含む、
請求項６に記載の高周波整合回路。
【請求項９】
請求項１ないし８のいずれか一項に記載の高周波整合回路を備える、
電子機器。
【発明の詳細な説明】
【技術分野】
【０００１】
本発明に係るいくつかの態様は、例えば、平衡型回路のインピーダンス変換、若しくは平衡型回路や非平衡型回路が混在する高周波回路に於いて両方のインピーダンスを整合させる高周波整合回路および電子機器に関する。
【背景技術】
【０００２】
従来、平衡入出力部を有する半導体部品と整合をとるためのインピーダンスマッチング回路を有する受動部品が知られている（例えば、特許文献１参照）。
【先行技術文献】
【特許文献】
【０００３】
【特許文献１】特開２００４−３２０５５６号公報
【発明の概要】
【発明が解決しようとする課題】
【０００４】
しかしながら、先行技術文献１に記載の受動部品では、半導体部品のインピーダンスがリアクタンス成分を含む場合にインピーダンス整合させるために、インピーダンスマッチング回路が多数の受動素子を含んでいる。このため、半導体部品は、インピーダンスを整合させるためのエリア（整合エリア）が受動素子の数に比例して増加し、広い（大きい）実装面積が必要であった。
【０００５】
本発明のいくつかの態様は前述の問題に鑑みてなされたものであり、従来と比較して整合エリアの実装面積を縮小することのできる高周波整合回路および電子機器を目的の１つとする。
【課題を解決するための手段】
【０００６】
本発明に係る高周波整合回路は、第１の回路のインピーダンスと第２の回路のインピーダンスとを整合させる高周波整合回路であって、第１の回路および第２の回路のうちの少なくとも一方が平衡型回路であり、第１の回路のインピーダンスおよび第２の回路のインピーダンスのうちの少なくとも一方が虚数成分を含み、前述の虚数成分を打ち消すインピーダンスを有するインピーダンス整合素子を、一つまたは二つ含むインピーダンス整合回路を備える。
【０００７】
かかる構成によれば、第１の回路のインピーダンスおよび第２の回路のインピーダンスのうちの少なくとも一方が虚数成分を含む場合であっても、第１の回路のインピーダンスと第２の回路のインピーダンスとを整合させることが可能となる。また、インピーダンス整合回路は、前述した虚数成分を打ち消すインピーダンスを有するインピーダンス整合素子を、一つまたは二つ含むのみである。
【０００８】
好ましくは、第１の回路のインピーダンスに含まれる実数成分と第２の回路のインピーダンスに含まれる実数成分とを変換するインピーダンス変換回路をさらに備える。
【０００９】
かかる構成によれば、第１の回路のインピーダンスの実数成分と、第２の回路のインピーダンスの実数成分とを整合させることができる。また、インピーダンス変換回路は、限定された数の受動素子で構成することが可能であるとともに、平衡型回路に接続する二つの平衡信号線の間に配置（挿入）する必要もない。これにより、高周波整合回路は、インピーダンス変換回路をさらに備える場合でも、従来と比較して、整合エリアの実装面積を縮小することができる。
【００１０】
好ましくは、インピーダンス変換回路は、集中定数型のバラン回路である。
【００１１】
かかる構成によれば、インピーダンス変換回路が集中定数型のバラン回路である。これにより、インピーダンス変換回路を構成するインダクタのインダクタンスおよびキャパシタのキャパシタンスは、所定の数式を用いて算出することが可能となる。これにより、第１の回路のインピーダンスの実数成分と、第２の回路のインピーダンスの実数成分とを変換するインピーダンス変換回路を、容易に設計することができる。
【００１２】
好ましくは、前述の二つのインピーダンス整合素子は、互いに異なるインピーダンスをそれぞれ有する。
【００１３】
かかる構成によれば、高周波整合回路は、第１の回路および第２の回路のうちの少なくとも一方のインピーダンスが変更される（変動する）場合に、第１の回路のインピーダンスと第２の回路のインピーダンスとを整合させることができる。
【００１４】
好ましくは、インピーダンス整合回路は、前述した二つのインピーダンス整合素子のうちの一方と接続する切替スイッチをさらに含む。
【００１５】
かかる構成によれば、前述した虚数成分を打ち消すインピーダンスを有するインピーダンス整合素子を二つ含むインピーダンス整合回路を、容易に実現（構成）することができる。また、二つのインピーダンス整合素子のうちの一方が電磁波を発生させる場合でも、切替スイッチを制御することにより、当該電磁波の発生を防止することができる。
【００１６】
好ましくは、所定の周波数帯の電気信号が通過可能なフィルタ回路をさらに備える。
【００１７】
かかる構成によれば、所定の周波数帯として、第２の回路から高周波整合回路を介して第１の回路に入力される入力信号の周波数帯、および第１の回路から高周波整合回路を介して第２の回路に出力される出力信号の周波数帯を含むように設定することで、入力信号および出力信号以外の成分、すなわち、ノイズを除去することができる。特に、インピーダンス整合回路が切替スイッチを備える場合に、切替スイッチのチャタリングにより電磁ノイズを発生する場合であっても、当該電磁のノイズを除去することができる。
【００１８】
好ましくは、前述のフィルタ回路は、バンドパスフィルタを含む。
【００１９】
かかる構成によれば、所定の周波数帯の電気信号が通過可能なフィルタ回路を、容易に実現（構成）することができる。
【００２０】
好ましくは、前述のフィルタ回路は、ローパスフィルタを含む。
【００２１】
かかる構成によれば、所定の周波数帯の電気信号が通過可能なフィルタ回路を、容易に実現（構成）することができる。
【００２２】
また、本発明に係る電子機器は、前述の高周波整合回路を備える。
【００２３】
かかる構成によれば、電子機器が前述の高周波整合回路を備える。これにより、第１の回路のインピーダンスと第２の回路のインピーダンスとを整合させることができるとともに、整合エリアである高周波整合回路の実装面積を縮小することができる。
【発明の効果】
【００２４】
本発明の高周波整合回路によれば、第１の回路のインピーダンスおよび第２の回路のインピーダンスのうちの少なくとも一方が虚数成分を含む場合であっても、第１の回路のインピーダンスと第２の回路のインピーダンスとを整合させることが可能となる。また、インピーダンス整合回路は、前述したリアクタンス成分を打ち消すインピーダンスを有するインピーダンス整合素子を、一つまたは二つ含むのみである。これにより、高周波整合回路は、従来と比較して、整合エリアの実装面積を縮小することができる。
【００２５】
本発明の電子機器によれば、第１の回路のインピーダンスと第２の回路のインピーダンスとを整合させることができるので、電気エネルギーの使用効率を高めることができ、消費電力を低減させることができる。また、整合エリアである高周波整合回路の実装面積を縮小することができるので、小型化を実現することができるとともに、製造コストを削減することができる。さらに、第１の回路のインピーダンスおよび第２の回路のインピーダンスのうちの少なくとも一方が変更され得る（変動し得る）場合（用途）に、インピーダンス整合回路を新たに設計し直すことなく、柔軟に対応することができる。さらにまた、高周波整合回路が入力信号および出力信号からノイズを除去することができるので、ノイズの発生し得る環境（用途）に好適に適用することができる。
【図面の簡単な説明】
【００２６】
【図１】第１実施形態における通信装置を説明するブロック図である。
【図２】図１に示したインピーダンス変換回路の設計を説明するための回路図である。
【図３】図１に示したインピーダンス整合回路の設計を説明するための回路図である。
【図４】図１に示したインピーダンス整合回路の設計を説明するための回路図である。
【図５】図１に示したインピーダンス整合回路の設計を説明するための回路図である。
【図６】図１に示した通信装置のインピーダンスの変化を説明するスミスチャートである。
【図７】図１に示した通信装置の反射損失の変化を説明するグラフである。
【図８】仮想的な通信装置の一例を説明するブロック図である。
【図９】第２実施形態における通信装置を説明するブロック図である。
【図１０】第３実施形態における通信装置を説明するブロック図である。
【発明を実施するための形態】
【００２７】
以下に本発明の実施の形態を説明する。以下の図面の記載において、同一または類似の部分には同一または類似の符号で表している。但し、図面は模式的なものである。したがって、具体的な寸法などは以下の説明を照らし合わせて判断するべきものである。また、図面相互間においても互いの寸法の関係や比率が異なる部分が含まれていることは勿論である。なお、以下の説明において、図面の上側を「上」、下側を「下」、左側を「左」、右側を「右」という。
【００２８】
＜第１実施形態＞
図１ないし図８は、本発明に係る高周波整合回路および電子機器の第１実施形態を示すためのものである。図１は、第１実施形態における通信装置１００を説明するブロック図である。図１に示すように、通信装置１００は、例えば、無線で通信（送受信）するトランシーバーなどの電子機器である。通信装置１００は、平衡型回路２０と、高周波整合回路１０と、不平衡型回路５０と、を備える。
【００２９】
平衡型回路２０は、例えば、送受信器などの信号伝送回路である。平衡型回路２０は、二つの平衡端子２１ａおよび平衡端子２１ｂを備える平衡型（差動型）の回路である。平衡端子２１ａおよび平衡端子２１ｂは、信号が入力する入力端子および信号を出力する出力端子のうちの少なくとも一方として機能することができる。平衡型回路２０は、例えば、平衡型のＩＣや半導体素子などで構成することが可能である。
【００３０】
不平衡型回路５０は、例えば、アンテナなどの不平衡型（非平衡型）の信号伝送回路である。不平衡型回路５０は、単一の信号線である不平衡信号線ＵＬと、高周波整合回路１０とを介して平衡型回路２０に信号を出力する。一方、不平衡型回路５０には、高周波整合回路１０と不平衡信号線ＵＬとを介して平衡型回路２０からの信号が入力される。
【００３１】
高周波整合回路１０は、平衡型回路２０と不平衡型回路５０との間に配置され、後述する平衡信号線ＢＬ１および平衡信号線ＢＬ２を介して平衡型回路２０に接続するとともに、不平衡信号線ＵＬを介して不平衡型回路５０に接続する。また、高周波整合回路１０は、平衡型回路２０のインピーダンスと不平衡型回路５０のインピーダンスとを整合させるためのものである。高周波整合回路１０は、インピーダンス変換回路３０と、インピーダンス整合回路４０と、を備える。
【００３２】
インピーダンス変換回路３０は、一端側（図１において左端側）が平衡端子２１ａおよび平衡端子２１ｂに接続するとともに、他端側（図１において右端側）には不平衡信号線ＵＬが接続される。また、インピーダンス変換回路３０は、平衡型回路２０のインピーダンスに含まれる実数成分（実部）と、不平衡型回路５０のインピーダンスに含まれる実数成分（実部）とを相互に変換するためのものである。すなわち、インピーダンス変換回路３０は、平衡型回路２０のインピーダンスにおける実数成分を、不平衡型回路５０のインピーダンスにおける実数成分に変換するとともに、不平衡型回路５０のインピーダンスにおける実数成分を平衡型回路２０のインピーダンスにおける実数成分に変換する。これにより、平衡型回路２０のインピーダンスの実数成分と、不平衡型回路５０のインピーダンスの実数成分とが整合する。
【００３３】
インピーダンス整合回路４０は、インピーダンス変換回路３０と不平衡型回路５０との間に配置され、不平衡信号線ＵＬに対して並列に接続する。また、インピーダンス整合回路４０は、平衡型回路２０のインピーダンスおよび不平衡型回路５０のインピーダンスのうち、少なくとも一方に含まれる虚数成分（虚部）を打ち消すためのものである。
【００３４】
なお、平衡型回路２０および不平衡型回路５０は、受動素子で構成される場合に限定されない。平衡型回路２０および不平衡型回路５０の少なくとも一方が、受動素子を含んでいなくてもよい。例えば、不平衡型回路５０は、伝送用の同軸ケーブル、アンテナ、または基板上のパターンアンテナなどの回路でもよい。この場合であっても、不平衡型回路５０は、伝送用の同軸ケーブル、アンテナ、または基板上のパターンアンテナの、特性的なインピーダンス、すなわち特性インピーダンスを有する。
【００３５】
次に、インピーダンス変換回路３０の設計（選定）を説明する。
【００３６】
なお、以下の説明において、特に記載がない限り、平衡型回路２０のインピーダンスＺdiffは、Ｚdiff＝Ｒdiff＋ｊＸdiff（Ｒdiffは実数成分、Ｘdiffは虚数成分を示す）であり、不平衡型回路５０のインピーダンスＺloadは、Ｚload＝Ｒload＋ｊＸload（Ｒloadは実数成分、Ｘloadは虚数成分を示す）であるものとする。
【００３７】
図２は、図１に示したインピーダンス変換回路３０の設計を説明するための回路図である。なお、インピーダンス変換回路３０の設計において、インピーダンス整合回路４０は使用しない（関係ない）ので、図２では記載を省略する。図２に示すように、インピーダンス変換回路３０は、例えば、ディスクリート部品のインダクタ（コイル）およびキャパシタ（コンデンサ）で構成される集中定数型のバラン回路である。インピーダンス変換回路３０は、平衡端子２１ａと接続する平衡信号線ＢＬ１に、並列に接続するインダクタと、直列に接続するキャパシタと、を備える。また、インピーダンス変換回路３０は、平衡端子２１ｂと接続する平衡信号線ＢＬ２に、並列に接続するキャパシタと、直列に接続するインダクタと、を備える。
【００３８】
平衡信号線ＢＬ１に並列に接続するインダクタおよび平衡信号線ＢＬ２に直列に接続するインダクタは、インダクタンスＬ0を有する同一のインダクタである。また、平衡信号線ＢＬ１に直列に接続するキャパシタおよび平衡信号線ＢＬ２に並列に接続するキャパシタは、キャパシタンスＣ0を有する同一のキャパシタである。ここで、平衡型回路２０のインピーダンスＺdiffおよび不平衡型回路５０のインピーダンスＺloadの両方が虚数成分を含まない場合（Ｘdiff＝０かつＸload＝０）、インダクタンスＬ0およびキャパシタンスＣ0は、平衡型回路２０のインピーダンスにおける実数成分Ｒdiffと不平衡型回路５０のインピーダンスにおける実数成分Ｒloadとを用いて以下の式（１）および式（２）で表すことができる。
【００３９】
【数１】
2014135547.tif 000003
但し、ｆは駆動周波数［Ｈｚ］を示す。
【００４０】
このように、インピーダンス変換回路３０が集中定数型のバラン回路であることにより、インピーダンス変換回路３０を構成するインダクタのインダクタンスＬ0およびキャパシタのキャパシタンスＣ0は、式（１）および式（２）を用いて算出することが可能となる。
【００４１】
一方、平衡型回路２０のインピーダンスＺdiffおよび不平衡型回路５０のインピーダンスＺloadのうち少なくと一方が虚数成分を含む場合、例えば、平衡型回路２０のインピーダンスＺdiffが虚数成分Ｘdiffを含む場合（Ｘdiff≠０）には、インピーダンス変換回路３０では、虚数成分Ｘdiffの影響を除去することができない。この虚数成分Ｘdiffは、インピーダンス整合回路４０によって打ち消される（除去される）。
【００４２】
次に、インピーダンス整合回路４０の設計（選定）を説明する。
【００４３】
図３ないし図５は、図１に示したインピーダンス整合回路４０の設計を説明するための回路図である。図２に示す点Ａにおいて、周知のテブナンの定理およびノートンの定理を適用し、図３に示すように、平衡型回路２０、インピーダンス変換回路２０、および不平衡型回路５０を、それぞれ、平衡端子２１ａと接続する平衡信号線ＢＬ１側と、平衡端子２１ｂと接続する平衡信号線ＢＬ２側との二つの等価回路に分ける。このとき、平衡型回路２０のインピーダンスＺdiffは、それぞれＺdiff／２に分けられ、不平衡型回路５０のインピーダンスＺloadは、それぞれＺload／２に分けられる。また、インピーダンス変換回路３０は、前述したように、インダクタンスＬ0のインダクタおよびキャパシタンスＣ0のキャパシタを、平衡信号線ＢＬ１と平衡信号線ＢＬ２との両方に備える。さらに、図２に示す点Ａは、点ａと点ｂとに分けられる。
【００４４】
次に、図４に示すように、平衡信号線ＢＬ１において、インピーダンス変換回路３０と不平衡型回路５０との間の点ａに、平衡信号線ＢＬ１に対して並列に接続する受動素子４１ａを追加（挿入）する。同様に、平衡信号線ＢＬ２において、インピーダンス変換回路３０と不平衡型回路５０との間の点ｂに、平衡信号線ＢＬ２に対して並列に接続する受動素子４１ｂを追加（挿入）する。受動素子４１ａはインピーダンスＺaを有し、受動素子４１ｂはインピーダンスＺbを有する。
【００４５】
受動素子４１ａおよび受動素子４１ｂは、例えば、高周波回路シミュレーターを用いた計算により、選択（選定）される。すなわち、まず、点ａおよび点ｂのそれぞれにおいて、現れているインピーダンスの虚数成分を打ち消すインピーダンスの値を算出する。この計算結果をもとに、点ａおよび点ｂのそれぞれにおいて、追加（挿入）する受動素子をいくつか選択する。次に、選択した受動素子のそれぞれについて、製造誤差範囲を考慮した実際のインピーダンスの値を算出する。そして、点ａおよび点ｂのそれぞれにおいて、算出したいくつかの受動素子の実際のインピーダンスの値をそれぞれ適用する。次に、点ａを含む等価回路および点ｂを含む等価回路のそれぞれにおいて、回路全体のインピーダンスを計算するフィードバック計算を行う。このフィードバック計算の結果に基づいて、いくつかの受動素子の中から最適な受動素子、すなわち、受動素子４１ａおよび受動素子４１ｂを、それぞれ選択（選定）することができる。
【００４６】
なお、高周波回路シミュレーターを用いた計算において、平衡信号線ＢＬ１および平衡信号線ＢＬ２のインピーダンスを考慮してもよい。すなわち、実際の平衡信号線ＢＬ１および平衡信号線ＢＬ２には、信号線の線長、線幅などによる寄生抵抗などの寄生成分が存在する。よって、平衡信号線ＢＬ１および平衡信号線ＢＬ２のインピーダンスを考慮して計算することで、平衡信号線ＢＬ１の寄生成分をも打ち消す（除去する）受動素子４１ａと、平衡信号線ＢＬ２の寄生成分をも打ち消す（除去する）受動素子４１ｂとを選択（選定）することができる。
【００４７】
つぎに、図４において点ａに追加（挿入）した受動素子４１ａと、点ｂに追加（挿入）した受動素子４１ｂとを合成し、合成したインピーダンス整合素子４１は、図５に示すように、点ｃにおいて不平衡線ＵＬに対して並列に接続させる。ここで、点ｃは図４に示す点ａおよび点ｃを合成した点であり、インピーダンス整合素子４１のインピーダンスＺcの値は、受動素子４１ａのインピーダンスＺaと受動素子４１ｂのインピーダンスＺbとを合成した値である。これにより、前述した例のように平衡型回路２０のインピーダンスＺdiffが虚数成分Ｘdiffを含む場合に、当該虚数成分Ｘdiffを打ち消すインピーダンスＺcを有するインピーダンス整合素子４１が選択（選定）される。インピーダンス整合回路４０は、当該インピーダンス整合素子４１を一つ含んで構成される。
【００４８】
本実施形態では、インピーダンス整合素子４１が不平衡信号線ＵＬに対して並列に接続する例を示したが、これに限定されず、インピーダンス整合回路４１は、不平衡信号線ＵＬに対して直列に接続するようにしてもよい。また、インピーダンス整合素子４１は、容量性の受動素子にもなり得るし、誘導性の受動素子にもなり得る。
【００４９】
また、本実施形態では、平衡型回路２０のインピーダンスＺdiffが虚数成分Ｘdiffを含み、インピーダンス整合回路４０のインピーダンス整合素子４１が当該虚数成分Ｘdiffを打ち消すインピーダンスＺcを有する例を示したが、これに限定されない。例えば、不平衡型回路５０のインピーダンスＺloadが虚数成分Ｘloadを含む場合や、平衡型回路２０のインピーダンスＺdiffが虚数成分Ｘdiffを含み、かつ、不平衡型回路５０のインピーダンスＺloadが虚数成分Ｘloadを含む場合であってもよい。すなわち、平衡型回路２０のインピーダンスＺdiffおよび不平衡型回路５０のインピーダンスＺloadのうちの少なくとも一方が虚数成分を含む場合に、インピーダンス整合回路４０のインピーダンス整合素子４１は当該虚数成分を打ち消すインピーダンスＺcを有する。これにより、インピーダンス整合回路４０は、平衡型回路２０のインピーダンスＺdiffおよび不平衡型回路５０のインピーダンスＺloadのうちの少なくとも一方が虚数成分を含む場合であっても、平衡型回路２０のインピーダンスＺdiffと不平衡型回路５０のインピーダンスＺloadとを整合させることが可能となる。
【００５０】
また、いずれの場合であっても、前述したように、高周波回路シミュレーターを用いた計算により、二分した等価回路ごとに受動素子を選択（選定）し、当該二つの受動素子を合成することで、インピーダンス整合素子４１を一つ含むインピーダンス整合回路４０を設計（選定）することが可能である。
【００５１】
図６は、図１に示した通信装置１００のインピーダンスの変化を説明するスミスチャートである。なお、図６は、中心（中央）のインピーダンスを５０［Ω］に設定（正規化）している。また、図６において、点Ｐ61は、平衡型回路２０のインピーダンスＺdiffを表す。グラフＧ62は、高周波整合回路１０がインピーダンス変換回路３０のみを備える場合に、駆動周波数ｆを含む周波数帯において図２に示す点Ａにおけるインピーダンスの変化を表す。さらに、グラフＧ63は、高周波整合回路１０がインピーダンス変換回路３０およびインピーダンス整合回路４０を備える場合に、駆動周波数ｆを含む周波数帯において図５に示す点ｃにおけるインピーダンスの変化を表す。図６に示すように、点Ｐ61は、前述した例のように、平衡型回路２０のインピーダンスＺdiffが虚数成分Ｘdiffを含んでいることを示している。グラフＧ62は、インピーダンス変換回路３０では虚数成分Ｘdiffを打ち消す（除去）することができず、図２に示す点Ａにおけるインピーダンスに影響が残っていることを示している。これに対して、グラフＧ63は、駆動周波数ｆを含む周波数帯において、チャートの中心（中央）または中心（中央）近傍（付近）を通過している。よって、不平衡型回路５０のインピーダンスＺloadが５０［Ω］である場合、インピーダンス変換回路３０およびインピーダンス整合回路４０を備える高周波整合回路１０は、平衡型回路２０のインピーダンスＺdiffと不平衡型回路５０のインピーダンスＺloadとを整合させることができる。
【００５２】
図７は、図１に示した通信装置１００の反射損失の変化を説明するグラフである。なお、図７において、横軸は周波数［Ｈｚ］を表し、縦軸は反射損失［ｄＢ］を表す。また、グラフＧ71は、図２に示す点Ａにおいて計測した不平衡信号線ＵＬの反射損失（リターンロス）を示し、グラフＧ72は、図５に示す点ｃにおいて計測した不平衡信号線ＵＬの反射損失（リターンロス）を示す。図７に示すように、高周波整合回路１０がインピーダンス整合回路４０を備えない状態のグラフＧ71は、すべて周波数で、不平衡信号線ＵＬの反射損失が相対的に大きい（多い）ことを示している。一方、高周波整合回路１０がインピーダンス整合回路４０を備える状態のグラフＧ72は、すべて周波数領域で、平衡信号線ＢＬ１および平衡信号線ＢＬ２の反射損失が相対的に小さく（少なく）、特に、駆動周波数ｆにおいて最小値になることを示している。このように、インピーダンス変換回路３０およびインピーダンス整合回路４０を備える高周波整合回路１０は、不平衡信号線ＵＬの反射損失を改善することができる。
【００５３】
図８は、仮想的な通信装置２００の一例を説明するブロック図である。なお、図８において、図１に示した通信装置１００と同一構成部分は同一符号をもって表し、その説明を省略する。また、通信装置１００と類似する構成部分は、類似の符号をもって表し、その詳細な説明を省略する。図８に示すように、通信装置２００は、前述した平衡型回路２０と、高周波整合回路１１０と、前述した不平衡型回路５０と、を備える。
【００５４】
高周波整合回路１１０は、一端側（図８において上端側）が平衡端子２１ａと接続する平衡信号線ＢＬ１に接続するとともに、他端側（図８において下端側）が平衡端子２１ｂと接続する平衡信号線ＢＬ２に接続する。平衡信号線ＢＬ１および平衡信号線ＢＬ２は点Ｐで合流し、点Ｐには、不平衡信号線ＵＬを介して不平衡型回路５０が接続する。
【００５５】
高周波整合回路１１０は、平衡型回路２０のインピーダンスＺdiffと、不平衡型回路５０のインピーダンスＺloadとを整合させる。高周波整合回路１１０は、例えば、平衡型回路２０のインピーダンスＺdiffが虚数成分Ｘdiffを含む場合に、当該虚数成分を含むインピーダンスを整合させるために多数の受動素子を含んで構成される。このため、高周波整合回路１１０は、インピーダンスを整合させるためのエリア（整合エリア）として、当該受動素子の数に比例する実装面積が必要である。
【００５６】
また、高周波整合回路１１０は、平衡信号線ＢＬ１と平衡信号線ＢＬ２との間に配置（挿入）され、平衡信号線ＢＬ１および平衡信号線ＢＬ２の間のエリアを使用して整合する。このため、高周波整合回路１１０は、整合エリアとして、平衡信号線ＢＬ１および平衡信号線ＢＬ２の２線路分の実装面積が必要である。
【００５７】
これに対し、高周波整合回路１０では、図５に示したように、インピーダンス変換回路３０は、限定された数の受動素子で構成することが可能であるとともに、平衡信号線ＢＬ１と平衡信号線ＢＬ２との間に配置（挿入）する必要がない。
【００５８】
また、インピーダンス整合回路４０は、前述した虚数成分を打ち消すインピーダンスＺcを有するインピーダンス整合素子４１を一つ含むのみである。
【００５９】
本実施形態では、高周波整合回路１０が、平衡型回路２０のインピーダンスＺdiffと不平衡型回路５０のインピーダンスＺloadとを整合させる例を示したが、これに限定されない。高周波整合回路１０がインピーダンスを整合する対象となる回路において、一方の回路と他方の回路のうちの少なくとも一方が平衡型（差動型）の回路であればよい。例えば、高周波整合回路１０は、両方の回路が平衡型回路である場合にインピーダンスを整合させるように構成してもよい。
【００６０】
また、本実施形態では、高周波整合回路１０がインピーダンス変換回路３０を備える例を示したが、これに限定されない。高周波整合回路１０は、一方の回路のインピーダンスと他方の回路のインピーダンスのうちの少なくとも一方が虚数成分を含む場合に、インピーダンスを整合させるものである。よって、一方の回路のインピーダンスと他方の回路のインピーダンスの両方が実数成分を含まない場合には、インピーダンス変換回路３０は不要となる。この場合、高周波整合回路１０はインピーダンス整合回路４０のみを備える。なお、前述した記載において、一方の回路は、本発明における「第１の回路」の他の例に相当し、他方の回路は、本発明における「第２の回路」の他の例に相当する。
【００６１】
このように、本実施形態における高周波整合回路１０によれば、平衡型回路２０のインピーダンスＺdiffおよび不平衡型回路５０のインピーダンスＺloadのうちの少なくとも一方が虚数成分を含み、当該虚数成分を打ち消すインピーダンスＺcを有するインピーダンス整合素子４１を一つ含むインピーダンス整合回路４０を備える。これにより、インピーダンス整合回路４０は、平衡型回路２０のインピーダンスＺdiffおよび不平衡型回路５０のインピーダンスＺloadのうちの少なくとも一方が虚数成分を含む場合であっても、平衡型回路２０のインピーダンスＺdiffと不平衡型回路５０のインピーダンスＺloadとを整合させることが可能となる。
【００６２】
ここで、図８に示す高周波整合回路１１０は、虚数成分を含むインピーダンスを整合させるために多数の受動素子を含んで構成されるので、整合エリアとして当該受動素子の数に比例する実装面積が必要である。これに対し、高周波整合回路１０では、図５に示すように、インピーダンス整合回路４０は、前述した虚数成分を打ち消すインピーダンスＺcを有するインピーダンス整合素子４１を一つ含むのみである。これにより、高周波整合回路１０は、従来と比較して、整合エリアの実装面積を縮小することができる。
【００６３】
また、本実施形態における高周波整合回路１０によれば、平衡型回路２０のインピーダンスＺdiffに含まれる実数成分Ｒdiffと不平衡型回路５０のインピーダンスＺloadに含まれる実数成分Ｒloadとを変換するインピーダンス変換回路３０をさらに備える。これにより、平衡型回路２０のインピーダンスＺdiffの実数成分Ｒdiffと、不平衡型回路５０のインピーダンスＺloadの実数成分Ｒloadとを整合させることができる。また、図８に示す高周波整合回路１１０は、平衡信号線ＢＬ１と平衡信号線ＢＬ２との間に配置（挿入）して２線路分の整合エリアが必要であるるのに対し、インピーダンス変換回路３０は、図５に示すように、限定された数の受動素子で構成することが可能であるとともに、平衡信号線ＢＬ１と平衡信号線ＢＬ２との間に配置（挿入）する必要もない。これにより、高周波整合回路１０は、インピーダンス変換回路３０をさらに備える場合でも、従来と比較して、整合エリアの実装面積を縮小することができる。
【００６４】
また、本実施形態における高周波整合回路１０によれば、インピーダンス変換回路３０が集中定数型のバラン回路である。これにより、インピーダンス変換回路３０を構成するインダクタのインダクタンスＬ0およびキャパシタのキャパシタンスＣ0は、式（１）および式（２）を用いて算出することが可能となる。これにより、平衡型回路２０のインピーダンスＺdiffの実数成分Ｒdiffと、不平衡型回路５０のインピーダンスＺloadの実数成分Ｒloadとを変換するインピーダンス変換回路３０を、容易に設計することができる。
【００６５】
また、本実施形態における通信装置１００によれば、通信装置１００が高周波整合回路１０を備える。これにより、平衡型回路２０のインピーダンスＺdiffと不平衡型回路５０のインピーダンスＺloadとを整合させることができるので、電気エネルギーの使用効率を高めることができ、消費電力を低減させることができる。また、高周波整合回路１０の整合エリアの実装面積を縮小することができるので、小型化を実現することができるとともに、製造コストを削減することができる。
【００６６】
＜第２実施形態＞
図９は、本発明に係る高周波整合回路および電子機器の第２実施形態を示すためのものである。なお、特に記載がない限り、前述した第１実施形態と同一構成部分は同一符号をもって表し、その説明を省略する。また、前述した第１実施形態と類似する構成部分は類似の符号をもって表し、その詳細な説明を省略する。さらに、図示しない構成部分は、前述した第１実施形態と同様とする。
【００６７】
図９は、第２実施形態における通信装置１００Ａを説明するブロック図である。図９に示すように、通信装置１００Ａは、平衡型回路２０と、高周波整合回路１０Ａと、不平衡型回路５０と、を備える。高周波整合回路１０Ａは、インピーダンス変換回路３０と、インピーダンス整合回路４０Ａと、を備える。すなわち、高周波整合回路１０Ａは、インピーダンス整合回路４０に代えてインピーダンス整合回路４０Ａを備える点で、前述した第１実施形態の高周波整合回路１０と異なる。
【００６８】
インピーダンス整合回路４０Ａは、インピーダンス整合素子４１Ａおよびインピーダンス整合素子４１Ｂを含む。インピーダンス整合素子４１Ａおよびインピーダンス整合素子４１Ｂは、平衡型回路２０のインピーダンスＺdiffおよび不平衡型回路５０のインピーダンスＺloadのうちの少なくとも一方が虚数成分を含む場合に、第１実施形態のインピーダンス整合素子４１と同様に、当該虚数成分を打ち消すインピーダンスを有する。すなわち、インピーダンス整合素子４１Ａは当該虚数成分を打ち消すインピーダンスＺc1を有し、インピーダンス整合素子４１Ｂは当該虚数成分を打ち消すインピーダンスＺc2を有する。これにより、インピーダンス整合回路４０Ａは、平衡型回路２０のインピーダンスＺdiffおよび不平衡型回路５０のインピーダンスＺloadのうちの少なくとも一方が虚数成分を含む場合であっても、平衡型回路２０のインピーダンスＺdiffと不平衡型回路５０のインピーダンスＺloadとを整合させることが可能となる。
【００６９】
ここで、前述したように、図８に示した高周波整合回路１１０は、虚数成分を含むインピーダンスを整合させるために多数の受動素子を含んで構成されるので、整合エリアとして当該受動素子の数に比例する実装面積が必要である。
【００７０】
これに対し、高周波整合回路１０Ａでは、図９に示すように、インピーダンス整合回路４０Ａは、前述した虚数成分を打ち消すインピーダンスＺc1，Ｚc2をそれぞれ有するインピーダンス整合素子４１Ａおよびインピーダンス整合素子４１Ｂの二つを、含むのみである。
【００７１】
また、インピーダンス整合回路４０Ａは、インピーダンス整合素子４１Ａおよびインピーダンス整合素子４１Ｂに加え、切替スイッチ４２をさらに含む。切替スイッチ４２は、インピーダンス整合素子４１Ａおよびインピーダンス整合素子４１Ｂのうちの一方（一つ）と接続するためのものである。インピーダンス整合素子４１Ａは、切替スイッチ４２を一方側（図９において下側）に切り替えることで、不平衡信号線ＵＬに対して並列に接続する。一方、インピーダンス整合素子４１Ｂは、切替スイッチ４２を他方側（図９において上側）に切り替えることで、不平衡信号線ＵＬに対して直列に接続する。
【００７２】
ここで、切替スイッチ４２は、インピーダンス整合素子４１Ａおよびインピーダンス整合素子４１Ｂのうちの一方、例えば、インピーダンス整合素子４１Ａに接続する場合に、当該インピーダンス整合素子４１Ａが、誘導性の受動素子、例えば、インダクタであるとする。このとき、誘導性の受動素子であるインピーダンス整合素子４１Ａに電流が流れると、インピーダンス整合素子４１Ａが電磁波を発生させることがある。当該電磁波は隣接する素子にとってノイズとなり、インピーダンス整合素子４１Ａはノイズ源となり得る。この場合、切替スイッチ４２を切り替えて、インピーダンス整合素子４１Ｂに接続すればよい。このように、インピーダンス整合素子４１Ａおよびインピーダンス整合素子４１Ｂのうちの一方が電磁波を発生させる場合でも、切替スイッチ４２を制御することにより、当該電磁波の発生を防止することができる。
【００７３】
切替スイッチ４２は、例えば、制御用のマイクロコンピュータ（図示省略）によって制御される。当該マイクロコンピュータは、例えば、消費電力量、伝送効率、反射損失などに基づいて、平衡型回路２０のインピーダンスと不平衡型回路５０のインピーダンスとが整合しているか否かを判定し、判定結果に基づいて切替スイッチ４２を切り替える。
【００７４】
また、インピーダンス整合素子４１ＡのインピーダンスＺc1と、インピーダンス整合素子４１ＢのインピーダンスＺc2とは、互いに異なる値であることが好ましい。すなわち、インピーダンス整合素子４１Ａは、例えば、平衡型回路２０のインピーダンスＺdiffが虚数成分Ｘdiffを含み、不平衡型回路５０のインピーダンスＺloadが虚数成分Ｘloadを含まない場合（Ｘdiff≠０かつＸload＝０）に、平衡型回路２０のインピーダンスＺdiffの虚数成分Ｘdiffを打ち消すインピーダンスＺc1を有する。一方、インピーダンス整合素子４１Ｂは、例えば、平衡型回路２０のインピーダンスＺdiffが虚数成分Ｘdiffを含み、不平衡型回路５０のインピーダンスＺloadも虚数成分Ｘloadを含む場合（Ｘdiff≠０かつＸload≠０）に、平衡型回路２０のインピーダンスＺdiffの虚数成分Ｘdiffおよび不平衡型回路５０のインピーダンスＺloadの虚数成分Ｘloadの両方を打ち消すインピーダンスＺc2を有する。これにより、高周波整合回路１０Ａは、例えば、不平衡型回路５０として、インピーダンスの値が互いに異なる二つの不平衡型回路が接続される場合でも、平衡型回路２０のインピーダンスＺdiffと不平衡型回路５０のインピーダンスＺloadとを整合させることができる。
【００７５】
インピーダンス整合素子４１Ａおよびインピーダンス整合素子４１Ｂは、前述した第１実施形態のインピーダンス整合素子４１と同様に、設計（選定）することができる。すなわち、インピーダンス整合素子４１Ａおよびインピーダンス整合素子４１Ｂのそれぞれについて、高周波回路シミュレーターを用いた計算により、二分した等価回路ごとに受動素子を選択（選定）する。そして、当該二つの受動素子を合成することで、インピーダンス整合素子４１Ａおよびインピーダンス整合素子４１Ｂのそれぞれを設計（選定）することが可能である。
【００７６】
本実施形態では、平衡型回路２０のインピーダンスＺdiffが虚数成分Ｘdiffを含み、不平衡型回路５０のインピーダンスＺloadが虚数成分Ｘloadを含まない場合に、インピーダンス整合素子４１Ａが平衡型回路２０の虚数成分Ｘdiffを打ち消すインピーダンスＺc1を有し、平衡型回路２０のインピーダンスＺdiffが虚数成分Ｘdiffを含み、不平衡型回路５０のインピーダンスＺloadも虚数成分Ｘloadを含む場合に、インピーダンス整合素子４１Ｂが平衡型回路２０の虚数成分Ｘdiffおよび不平衡型回路５０の虚数成分Ｘloadの両方を打ち消すインピーダンスＺc2を有する例を示したが、これに限定されない。すなわち、平衡型回路２０のインピーダンスＺdiffおよび不平衡型回路５０のインピーダンスＺloadのうちの少なくとも一方が変更されればよい（変動すればよい）。例えば、平衡型回路２０のインピーダンスＺdiffが虚数成分Ｘdiffを含み、不平衡型回路５０のインピーダンスＺloadが虚数成分Ｘloadを含まない場合であって、平衡型回路２０の虚数成分Ｘdiffが互いに異なる第１の値および第２の値のうちの一方から他方に変更される（変動する）場合に、インピーダンス整合素子４１Ａが平衡型回路２０の第１の値の虚数成分を打ち消すインピーダンスＺc1を有し、インピーダンス整合素子４１Ｂが平衡型回路２０の第２の値の虚数成分を打ち消すインピーダンスＺc2を有するようにしてもよい。
【００７７】
また、本実施形態では、インピーダンス整合素子４１Ａが不平衡信号線ＵＬに対して並列に接続し、インピーダンス整合素子４１Ｂが不平衡信号線ＵＬに対して直列に接続する例を示したが、これに限定されない。インピーダンス整合素子４１Ａおよびインピーダンス整合素子４１Ｂは、ともに不平衡信号線ＵＬに対して並列に接続してもよいし、インピーダンス整合素子４１Ａおよびインピーダンス整合素子４１Ｂは、ともに不平衡信号線ＵＬに対して直列に接続してもよい。
【００７８】
さらに、インピーダンス整合素子４１Ａおよびインピーダンス整合素子４１Ｂは、ともに容量性の受動素子にもなり得るし、ともに誘導性の受動素子にもなり得し、一方が容量性の受動素子で他方が誘導性の受動素子にもなり得る。
【００７９】
このように、本実施形態における高周波整合回路１０Ａによれば、平衡型回路２０のインピーダンスＺdiffおよび不平衡型回路５０のインピーダンスＺloadのうちの少なくとも一方が虚数成分を含み、当該虚数成分を打ち消すインピーダンスＺc1を有するインピーダンス整合素子４１Ａと、当該虚数成分を打ち消すインピーダンスＺc2を有するインピーダンス整合素子４１Ｂとの二つを含むインピーダンス整合回路４０Ａを備える。これにより、インピーダンス整合回路４０Ａは、平衡型回路２０のインピーダンスＺdiffおよび不平衡型回路５０のインピーダンスＺloadのうちの少なくとも一方が虚数成分を含む場合であっても、平衡型回路２０のインピーダンスＺdiffと不平衡型回路５０のインピーダンスＺloadとを整合させることが可能となる。
【００８０】
また、図８に示す高周波整合回路１１０は、虚数成分を含むインピーダンスを整合させるために多数の受動素子を含んで構成されるので、整合エリアとして当該受動素子の数に比例する実装面積が必要である。これに対し、高周波整合回路１０Ａでは、図９に示すように、インピーダンス整合回路４０Ａは、前述した虚数成分を打ち消すインピーダンスＺc1，Ｚc2をそれぞれ有するインピーダンス整合素子４１Ａおよびインピーダンス整合素子４１Ｂの二つを、含むのみである。これにより、高周波整合回路１０Ａは、従来と比較して、整合エリアの実装面積を縮小することができる。
【００８１】
また、本実施形態における高周波整合回路１０Ａによれば、インピーダンス整合回路４０Ａは、インピーダンス整合素子４１Ａおよびインピーダンス整合素子４１Ｂのうちの一方（一つ）と接続する切替スイッチ４２をさらに含む。これにより、前述した虚数成分を打ち消すインピーダンスを有するインピーダンス整合素子４１Ａおよびインピーダンス整合素子４１Ｂの二つを含むインピーダンス整合回路４０Ａを、容易に実現（構成）することができる。また、インピーダンス整合素子４１Ａおよびインピーダンス整合素子４１Ｂのうちの一方が電磁波を発生させる場合でも、切替スイッチ４２を制御することにより、当該電磁波の発生を防止することができる。
【００８２】
また、本実施形態における高周波整合回路１０Ａによれば、インピーダンス整合素子４１Ａおよびインピーダンス整合素子４１Ｂは、互いに異なるインピーダンスＺc1，Ｚc2をそれぞれ有する。これにより、高周波整合回路１０Ａは、平衡型回路２０のインピーダンスＺdiffおよび不平衡型回路５０のインピーダンスＺloadのうちの少なくとも一方が変更される（変動する）場合に、平衡型回路２０のインピーダンスＺdiffと不平衡型回路５０のインピーダンスＺloadとを整合させることができる。
【００８３】
また、本実施形態における通信装置１００Ａによれば、通信装置１００Ａが高周波整合回路１０Ａを備える。これにより、平衡型回路２０のインピーダンスおよび不平衡型回路５０のインピーダンスのうちの少なくとも一方が変更され得る（変動し得る）場合（用途）に、インピーダンス整合回路４０Ａを新たに設計し直すことなく、柔軟に対応することができる。
【００８４】
＜第３実施形態＞
図１０は、本発明に係る高周波整合回路および電子機器の第３実施形態を示すためのものである。なお、特に記載がない限り、前述した第１実施形態および第２実施形態と同一構成部分は同一符号をもって表し、その説明を省略する。また、前述した第１実施形態および第２実施形態と類似する構成部分は類似の符号をもって表し、その詳細な説明を省略する。さらに、図示しない構成部分は、前述した第１実施形態および第２実施形態と同様とする。
【００８５】
図１０は、第３実施形態における通信装置１００Ｂを説明するブロック図である。図１０に示すように、通信装置１００Ｂは、平衡型回路２０と、高周波整合回路１０Ｂと、不平衡型回路５０と、を備える。高周波整合回路１０Ｂは、インピーダンス変換回路３０と、インピーダンス整合回路４０Ａと、フィルタ回路４５と、を備える。すなわち、高周波整合回路１０Ｂは、フィルタ回路４５をさらに備える点で、前述した第２実施形態の高周波整合回路１０Ａと異なる。
【００８６】
フィルタ回路４５は、インピーダンス整合回路４０Ａと不平衡型回路５０との間に配置され、不平衡信号線ＵＬと直列に接続する。フィルタ回路４５は、所定の周波数帯の電気信号が通過可能なものである。これにより、所定の周波数帯として、不平衡型回路５０から不平衡信号線ＵＬおよび高周波整合回路１０Ｂを介して平衡型回路２０に入力される入力信号の周波数帯、および平衡型回路２０から高周波整合回路１０Ｂおよび不平衡信号線ＵＬを介して不平衡型回路５０に出力される出力信号の周波数帯を含むように設定することで、入力信号および出力信号以外の成分、すなわち、ノイズを除去することができる。特に、インピーダンス整合回路４０Ａが切替スイッチ４２を備える場合に、切替スイッチ４２のチャタリングにより発生し得る電磁ノイズを除去することができる。
【００８７】
フィルタ回路４５は、前述した所定の周波数帯の電気信号を取り出す（通過させる）ために、電気信号に帯域制限をかける所定のフィルタ４６を含む。所定のフィルタ４６としては、例えば、所定範囲の周波数成分を取り出すバンドパスフィルタ、または、所定値以下の周波数成分を取り出すローパスフィルタなどが挙げられる。これにより、所定の周波数帯の電気信号が通過可能なフィルタ回路４５を、容易に実現（構成）することができる。
【００８８】
このように、本実施形態における高周波整合回路１０Ｂによれば、所定の周波数帯の電気信号が通過可能なフィルタ回路４５をさらに備える。これにより、所定の周波数帯として、不平衡型回路５０から不平衡信号線ＵＬおよび高周波整合回路１０Ｂを介して平衡型回路２０に入力される入力信号の周波数帯、および平衡型回路２０から高周波整合回路１０Ｂおよび不平衡信号線ＵＬを介して不平衡型回路５０に出力される出力信号の周波数帯を含むように設定することで、入力信号および出力信号以外の成分、すなわち、ノイズを除去することができる。特に、インピーダンス整合回路４０Ａが切替スイッチ４２を備える場合に、切替スイッチ４２のチャタリングにより電磁ノイズを発生する場合であっても、当該電磁のノイズを除去することができる。
【００８９】
また、本実施形態における高周波整合回路１０Ｂによれば、フィルタ回路４５は、バンドパスフィルタを含む。これにより、所定の周波数帯の電気信号が通過可能なフィルタ回路４５を、容易に実現（構成）することができる。
【００９０】
また、本実施形態における平衡型高周波回路１０Ｂによれば、フィルタ回路４５は、ローパスフィルタを含む。これにより、所定の周波数帯の電気信号が通過可能なフィルタ回路４５を、容易に実現（構成）することができる。
【００９１】
また、本実施形態における通信装置１００Ｂによれば、通信装置１００Ｂが高周波整合回路１０Ｂを備える。これにより、高周波整合回路１０Ｂが入力信号および出力信号からノイズを除去することができるので、ノイズの発生し得る環境（用途）に好適に適用することができる。
【００９２】
なお、第１実施形態ないし第３実施形態では、説明の便宜上、高周波整合回路１０，１０Ａ，１０Ｂを備える通信装置１００、１００Ａ，１００Ｂの例を示したが、これに限定されない。高周波整合回路１０，１０Ａ，１０Ｂを備える電子機器であれば、他のデバイス、装置、機器などであってもよい。
【００９３】
また、前述した各実施形態の構成は、組み合わせたり、あるいは一部の構成部分を入れ替えたりしたりしてもよい。また、本発明の構成は前述した各実施形態のみに限定されるものではなく、本発明の要旨を逸脱しない範囲内において種々変更を加えてもよい。
【符号の説明】
【００９４】
１０，１０Ａ，１０Ｂ…高周波整合回路
２０…平衡型回路
２１ａ，２１ｂ…平衡端子
３０…インピーダンス変換回路
４０，４０Ａ…インピーダンス整合回路
４１，４１Ａ，４１Ｂ…インピーダンス整合素子
４１ａ，４１ｂ…受動素子
４２…切替スイッチ
５０…不平衡型回路
１００，１００Ａ，１００Ｂ…通信装置
【図１】
2014135547.tif 000004
【図２】
2014135547.tif 000005
【図３】
2014135547.tif 000006
【図４】
2014135547.tif 000007
【図５】
2014135547.tif 000008
【図６】
2014135547.tif 000009
【図７】
2014135547.tif 000010
【図８】
2014135547.tif 000011
【図９】
2014135547.tif 000012
【図１０】
2014135547.tif 000013